(57)【特許請求の範囲】
【請求項１】
開閉体に取り付けられ、座面に凹所が形成された受け座と、
前記座面に回転可能に受け入れられ、鍵穴が形成された本体と、
該本体から立ち上がり可能に、また前記本体と共に受け座に収容可能に配置され、縁部に係合溝が形成されたハンドルと、
前記鍵穴から挿入されるキーによって操作可能であり、該キーの施錠操作で前記ハンドルの前記係合溝および前記受け座の前記凹所への突出位置に保持され、前記キーの解錠操作で前記係合溝および前記凹所からの退出位置に保持されるカム機構とを含む鍵付きハンドルであって、
前記カム機構は、前記本体から前記受け座へ向けて一端が突出可能に配置された第１のカム部材と、
一端に前記鍵穴から挿入されるキーとの係合部が形成され、前記第１のカム部材に係合して前記キー操作によって前記第１のカム部材を前記凹所への突出位置と該凹所からの退出位置との間で移動させる第２のカム部材であって前記第１のカム部材に前記突出位置を与える回転位置で前記ハンドルの前記係合溝内に突出しまた前記第１のカム部材に前記退出位置を与える回転位置で前記ハンドルの前記係合溝内から退出するロック部が設けられた第２のカム部材とを含むことを特徴とする鍵付きハンドル。
【請求項２】
開閉体に取り付けられ、座面に凹所が形成された受け座と、
前記座面に回転可能に受け入れられ、鍵穴が形成された本体と、
該本体から立ち上がり可能に、また前記本体と共に受け座に収容可能に配置され、縁部に係合溝が形成されたハンドルと、
前記鍵穴から挿入されるキーによって操作可能であり、該キーの施錠操作で前記ハンドルの前記係合溝および前記受け座の前記凹所への突出位置に保持され、前記キーの解錠操作で前記係合溝および前記凹所からの退出位置に保持されるカム機構とを含む鍵付きハンドルであって、
前記カム機構は、前記本体から前記受け座へ向けて一端が突出可能に配置され、他端に傾斜面が形成され、前記一端から前記他端に到る軸線の廻りの回転が阻止された第１のカム部材と、
該第１のカム部材に前記凹所からの退出位置へ向けての偏倚力を与えるばね部材と、
一端から他端への軸線方向の廻りの回転が許されかつ該軸線方向の移動が阻止され、前記一端に前記鍵穴から挿入されるキーとの係合部が形成され、前記他端に前記第１のカム部材の前記傾斜面に係合して前記キー操作によって前記第１のカム部材を前記凹所への突出位置と該凹所からの退出位置との間で移動させるための傾斜面が設けられ、かつ前記第１のカム部材に前記突出位置を与える回転位置で前記ハンドルの前記係合溝に突出しまた前記第１のカム部材に前記退出位置を与える回転位置で前記ハンドルの前記係合溝から退出するロック部が設けられた第２のカム部材とを含むことを特徴とする鍵付きハンドル。
【発明の詳細な説明】
【０００１】
【産業上の利用分野】
本発明は、開閉扉のような開閉体に取り付けられ、その開閉の際に操作される鍵付きハンドルに関する。
【０００２】
【従来の技術】
本願発明者は、実公平５−１５６８号公報に示されているような鍵付きハンドルを提案した。
この鍵付きハンドルでは、ハンドル３が設けられた本体１を受け入れる受け座２に、案内溝２ｂおよびこの案内溝２ｂに連続する施錠穴９が形成される。またハンドル３には、係止穴３ａが形成される。他方、本体１のキー穴１ａから操作されるロックロータ５には、ハンドル３の係止穴３ａに係合可能の係止片７が設けられ、また常時、案内溝２ｂまたはこれに連続する施錠穴９内に突出するロックボス６が設けられる。
前記公報に記載のハンドルでは、該公報の第６図に示される施錠状態にあるとき、ロックロータ５に設けられたロックボス６は施錠穴９の段部９ａに係止され、これにより本体１の回転が阻止されることから、この鍵付きハンドルが設けられた扉は施錠状態におかれる。また、この施錠状態では、ロックロータ５に設けられた係止片７がハンドル３の係止穴３ａへの係合位置に保持されることから、ハンドル３は本体１から突出することなく収納位置に保持される。
【０００３】
【発明が解決しようとする課題】
しかしながら、前記公報に記載のハンドルでは、該公報の第５図に示される解錠状態および同第６図に示される施錠状態の何れにおいても、ロックロータ５に設けられたロックボス６は、常時、案内溝２ｂまたはこれに連続する施錠穴９内に突出した状態におかれる。また、施錠および解錠は、施錠穴９内に位置するロックボス６の回転姿勢によって規定される。
そのために、第５図に示される解錠状態で、ハンドル３を立てて扉の一時的な係止のためにハンドル３を回転操作すると、このハンドル３の回転操作に伴ってロックボス６が案内溝２ｂ内を摺動することから、滑らかなハンドル操作を得る上で、高い加工精度を必要とする。
さらに、前記公報の第５図に示される解錠状態において、部品の加工精度が低いと、強い振動等が繰り返し作用したとき、施錠穴９内に位置するロックボス６が施錠穴９の段部９ａに当接を繰り返し、その結果、このロックボス６および係止片７の設けられたロックロータ５が、同第６図に示される施錠姿勢へ向けて移動する虞れがある。
【０００４】
従って、本発明の目的は、高い加工精度を必要とすることなく、滑らかなハンドル操作を容易に得ることができかつ強い振動等による不用意な施錠状態を確実に防止できる鍵付きハンドルを提供することにある。
【０００５】
【課題を解決するための手段】
本発明は、開閉体に取り付けられ、座面が形成された受け座と、この受け座に回転可能に受け入れられ、鍵穴が形成された本体と、この本体から立ち上がり可能に、またこの本体と共に受け座に収容可能に配置され、縁部に係合溝が形成されたハンドルとを含む鍵付きハンドルにおいて、受け座の座面に凹所を形成すると共に、鍵穴から挿入されるキーによって操作可能であり、キーの施錠操作でハンドルの係合溝内および受け座の凹所内への突出位置に保持され、かつキーの解錠操作でハンドルの係合溝内および受け座の凹所内からの退出位置に保持されるカム機構を設けたことを特徴とする。
【０００６】
【作用】
本発明に係る鍵付きハンドルでは、鍵穴からのキー操作によって施錠操作されると、カム機構はハンドルの係合溝内および受け座の凹所内に突出する。そのため、施錠操作によって、ハンドルが設けられた本体の回転は阻止され、またハンドルはその収納位置に保持される。
また、鍵穴からのキー操作によって解錠操作されると、カム機構はハンドルの係合溝内および受け座の凹所内から退出する。このカム機構の退出位置では、ハンドルを自由に引き起こすことができ、このハンドルを操作して本体を自在に回転させることができる。
この解錠状態では、カム機構は受け座の凹所から退出した位置に保持されている。
【０００７】
【実施例】
以下、本発明を図示の実施例に沿って詳細に説明する。
図１および図２は、それぞれ本発明に係る鍵付きハンドルを示す断面図および正面図であり、図１は図２に示された線Ａ−Ａに沿って得られた断面図である。
本発明に係る鍵付きハンドル１０は、図１に示されているように、例えば扉のような開閉体１２の開閉操作のために、これに設けられる。鍵付きハンドル１０は、開閉体１２の縁部近傍に形成された開口１４に配置される円形の受け座１６と、この受け座１６に配置される本体１８とを備える。
受け座１６は、その円形座面２０の中央部に設けらた円筒状のボス部２２が開口１４を貫通するように、配置されている。この受け座１６は、ボス部２２に螺合するナット２４と、円形座面２０の背面部分との間で開閉体１２を締め付けることにより、これに固定されている。また、受け座１６の背面から開閉体１２の凹所２６へ突出する突起２８により、受け座１６の回転が確実に阻止されている。
【０００８】
本体１８は、円形座面２０内に回転可能に配置され、表面に鍵穴３０ａが設けられる全体に円形の円盤部３０と、この円盤部３０の中央部分から受け座１６のボス部２２内を貫通する軸部３２とを備える。軸部３２は、円盤部３０と一体的に回転可能であり、ボス部２２から突出する部分には、掛金３４がナット３６により固定されている。
円盤部３０には、図２に示されているように、半円リング状のハンドル３８を受け入れるための弧状凹部４０が形成されている。ハンドル３８は、その両端に形成された枢軸部４２を介して、本体１８に支承されている。
解錠状態では、ハンドル３８は、弧状凹部４０内にあって円盤部３０と共に受け座１６内に収容される収納位置と、円盤部３０からの立ち上がり位置との間で揺動可能であり、収納位置にあるとき、枢軸部４２の先端に形成された平坦部４４に弧状の板ばね４６が当接することにより、その収納位置に保持される。
【０００９】
従って、板ばね４６のばね力に打ち勝ってハンドル３８を立ち上げることができ、この立上げたハンドル３８を回転することにより、本体１８に設けられた掛金３４を、図２に示す戸枠４８に設けられたブラケット５０に係合させた係止位置と、ハンドル３８を図２で見て時計方向へ操作して掛金３４をブラケット５０から外す開放位置との間で、移動させることができる。このハンドル３８による本体１８の回転操作域は、円盤部３０の背面に形成された弧状切り欠き部５２と、受け座１６の座面２０から弧状切り欠き部５２に突出するストッパ５４によって規定されている。
【００１０】
掛金３４をブラケット５０に係止させかつハンドル３８を収納位置に係止させた施錠状態におくためのカム機構５６が、鍵付きハンドル１０に設けられている。また、このカム機構５６に関連して、受け座１６の座面２０には、凹所５８が形成され、ハンドル３８の内縁部には係合溝６０が形成されている。
図３は、カム機構５６を分解して示す斜視図である。
カム機構５６は、図１および図３を参照するに、裏板６２に形成された案内部６４に配置される第１のカム部材６６と、第２のカム部材６８とを備える。
裏板６２は、ねじ部材７０を介して、本体１８の円盤部３０の背面に固定されており、この裏板６２と円盤部３０との間で、ハンドル３８に関連して述べた板ばね４６がその中央部分で挟持されている。
【００１１】
第１のカム部材６６は、主として図３を参照するに、案内部６４の底部に設けられた穴７２から一端が突出可能な軸部６６ａと、軸部６６ａの他端に連なる頭部６６ｂとを備える。頭部６６ｂの頂面すなわちカム部材６６の他方の端面７４は、軸部６６ａの軸線と直角な平面に対して角度的な傾斜面である。軸部６６ａの周面には、平坦面７６が形成されており、この軸部６６ａを受ける穴７２の縁部にもこれに対応する直線部が設けられている。
これにより、第１のカム部材６６は、軸部６６ａの軸線の廻りの回転が阻止されており、また、軸部６６ａの先端部を座面２０の凹所５８内に突出するように、その軸線に沿って移動可能である。
【００１２】
第１のカム部材６６の頭部６６ｂと、案内部６４の底部との間には、圧縮コイルスプリングからなるばね部材７８が軸部６６ａを取り巻いて配置されている。ばね部材７８は、第１のカム部材６６に、凹所５８からの退出位置へ向けての偏倚力を与える。この第１のカム部材６６には、その軸部６６ａから頭部６６ｂに到る軸線に沿って第２のカム部材６８のための案内孔８０が貫通する。
【００１３】
第２のカム部材６８は、第１のカム部材６６の案内孔８０内に伸びる案内ボス部６８ａと、この案内ボス部６８ａに連なるロック部６８ｂとを備える。案内ボス部６８ａは、回転可能にかつ第１のカム部材６６にその軸線方向の運動を許すように、案内孔８０に受け入れられている。
第２のカム部材６８は、そのロック部６８ｂが円盤部３０と案内部６４の頂面との間にあり、これにより軸線方向の運動が阻止されている。また、第１のカム部材６６の傾斜面７４に対向するロック部６８ｂの背面には、この傾斜面７４に対応する傾斜面８２が形成されている。従って、第２のカム部材６８をその軸線の廻りに回転させることにより、この第２のカム部材６８の傾斜面８２と係合する傾斜面７４を有しかつ軸線の回りの運動を規制された第１のカム部材６６を、その軸線方向へ移動させることができる。
【００１４】
第２のカム部材６８のロック部６８ｂは、図１に示されているように、第１のカム部材６６の軸部６６ａの先端を受け座１６の凹所５８内に突出させる回転位置で、ハンドル３８の係合溝６０内に突出するように偏心的に形成されている。従って、ロック部６８ｂは、第１のカム部材６６の軸部６６ａを凹所５８内に突出させることのない回転位置では、係合溝６０内に突出することはない。
この第２のカム部材６８の回転操作のために、鍵穴３０ａに対向するカム部材６８の他端には、図３に示したキー８４に適合するキー溝８６が係合部として形成されている。
【００１５】
図４は、鍵付きハンドル１０の解錠状態を示す断面図である。
この解錠状態では、第１のカム部材６６は、ばね部材７８の偏倚力によって受け座１６の凹所５８から退出した位置に確実に保持されている。また、第２のカム部材６８のロック部６８ｂは、ハンドル３８の係合溝６０からの退出位置に保持されている。
従って、この解錠状態では、自由にハンドル３８を立ち上げることができ、この立上げたハンドル３８を回転操作することにより、本体１８に設けられた掛金３４をブラケット５０に係合させて、一時的に開閉体１２を係止することができる。また、開閉体１２を開放位置へ移動するために、ハンドル３８を図２で見て時計方向へ回転操作することにより、掛金３４をブラケット５０から外すことができる。
【００１６】
このような解錠状態でのハンドル３８の回転操作に際し、施錠のための第１のカム部材６６は、案内部６４内に保持され、凹所５８から退出した位置に確実に保持されていることから、このカム部材６６によって受け座１６との間に強い摩擦が作用することはなく、ハンドル３８の回転操作は軽快かつ円滑である。また、強い振動等が繰り返し作用しても、第１のカム部材６６が不意に凹所５８内に突出することはなく、不用意に施錠状態になることはない。
【００１７】
また、掛金３４をブラケット５０に係止させかつハンドル３８を収納位置に収納した状態で、鍵穴３０ａからのキー８４の操作によって、第２のカム部材６８が図１に示した施錠回転位置へ操作されると、第１のカム部材６６の軸部６６ａが受け座１６の凹所５８内に突出する。他方、第２のカム部材６８のロック部６８ｂがハンドル３８の係合溝６０内に突出する。
これにより、掛金３４をブラケット５０に係止させた状態で本体１８の回転が防止されることから、開閉体１２は確実に施錠状態におかれ、またハンドル３８はその収納位置に確実に係止される。
【００１８】
図５および図６は、それぞれ本発明の他の実施例を示す斜視図である。
本発明に係るカム機構５６として、図５および図６に示すような円柱状のカム部材を用いることができる。
図５に示された円柱状カム部材８８は、傾斜カム溝９０をその周面に有する。このカム部材８８の一端には、先に示した例におけると同様なキー溝８６が形成され、またこの端部近傍には、先に示したと同様な作用をなすロック部６８ｂが形成されている。カム部材８８の他端部を受け入れる案内部６４は両端開放であり、この案内部６４の内周面には傾斜カム溝９０内に伸びるピン（図示せず）が設けられる。
このピンおよびこれに係合する傾斜カム溝９０の案内作用により、鍵穴３０ａからのキー８４の操作によって、カム部材８８に螺旋運動を与えることができる。このカム部材８８の螺旋運動は、カム部材８８のロック部６８ｂをハンドル３８の係合溝６０内に突出させかつその回転位置で他端を凹所５８内へ突出させる。
カム部材８８は、その回転操作によって鍵穴３０ａに近づきあるいはこれから離れるように運動することから、キー操作も螺旋運動となる。
【００１９】
これに対し図６に示すように、カム部材８８を第１および第２の円柱状カム部材９２ａと９２ｂとに分割し、例えば第１のカム部材９２ａに図５に示したと同様な傾斜カム溝９０を設け、さらに軸線方向に伸びる一対の案内孔を設ける。他方、第２のカム部材９２ｂにキー溝８６およびロック部６８ｂを設けると共に、第１のカム部材９２ａの一対の案内孔内に伸びる一対のガイドピン９４を設ける。両カム部材９２ａおよび９２ｂ間に、互いに離れる方向へのばね力を与える圧縮コイルスプリング９６を配置する。
この図６に示す例によれば、第１のカム部材９２ａが螺旋運動してその軸線方向へ移動しても、コイルスプリング９６のばね力によって第２のカム部材９２ｂは常に鍵穴３０ａに保持される。従って、図１ないし図４に示した例におけると同様に、キー操作を平面上の回転操作によって行うことができる。
【００２０】
【発明の効果】
以上説明したように、本発明の鍵付きハンドルでは、鍵穴からのキー操作によって施錠操作されると、ハンドルが設けられた本体の回転は阻止され、またハンドルはその収納位置に保持されることから、この鍵付きハンドルが設けられた扉のような開閉体を確実に施錠することができる。
また、鍵穴からのキー操作によって解錠操作されると、ハンドルを自由に引き起こすことができ、このハンドルを操作して、開閉体を一時的に係止しあるいは係止を解除するために、本体を自在に回転させることができる。
この際、カム機構は受け座の凹所から退出した位置に保持されていることから、ハンドルの回転操作に際し、カム機構と本体を受け入れる受け座との間に強い摩擦が作用することはない。また、強い振動等が繰り返し作用しても、カム機構が不意に凹所への突出位置に移動することはない。
これにより、滑らかなハンドル操作が可能となり、強い振動等が作用しても解錠状態から不用意に施錠状態になることを確実に防止することができる。
【図面の簡単な説明】
【図１】本発明に係る鍵付きハンドルを施錠状態で示す縦断面図である。
【図２】図１に示した鍵付きハンドルを施錠状態で示す正面図である。
【図３】図１に示した鍵付きハンドルのカム機構を分解して示す斜視図である。
【図４】本発明に係る鍵付きハンドルを解錠状態で示す部分的な縦断面図である。
【図５】本発明に係るカム機構の他の実施例を示す斜視図である。
【図６】本発明に係るカム機構のさらに他の実施例を示す斜視図である。
【符号の説明】
１２  開閉体
１６  受け座
１８  本体
２０  座面
３０ａ  鍵穴
３８  ハンドル
５６  カム機構
６０  係合溝
８４  キー
【図１】
0003557498.tif 000002
【図４】
0003557498.tif 000003
【図２】
0003557498.tif 000004
【図３】
0003557498.tif 000005
【図５】
0003557498.tif 000006
【図６】
0003557498.tif 000007